(57)【特許請求の範囲】
【請求項１】
直流発電装置で発電された直流電力を交流電力に変換する直流交流変換部を有し前記直流発電装置と交流電力系統とを連系運転させるインバータと、該インバータを遠隔制御して連系運転と自立運転とを切り替える遠隔制御装置とを備える電力連系切り替えシステムであって、
前記インバータは、前記交流電力系統に接続された交流電力線と前記直流交流変換部との間に配置され連系運転時に前記交流電力系統への交流電力の供給を行なう連系運転用リレーを備え、
前記遠隔制御装置は、自立運転時に自立運転用負荷に対して交流電力を供給する自立運転出力用コンセントと、該自立運転出力用コンセントと前記直流交流変換部とを接続する自立運転用電力線と、自立運転への切り替え操作を受け付ける運転切り替え操作部とを備え、
前記インバータは、前記自立運転用電力線に接続され連系運転と自立運転との切り替えに関する情報の通信を前記遠隔制御装置との間で行なう第１電力線通信用モデムを備え、
前記遠隔制御装置は、前記自立運転用電力線に接続され連系運転と自立運転との切り替えに関する情報の通信を前記インバータとの間で行なう第２電力線通信用モデムを備え、
前記自立運転用電力線は、前記インバータと前記遠隔制御装置との間でインバータ側自立運転用電力線と遠隔制御装置側自立運転用電力線とに区分してあり、
前記インバータは、前記インバータ側自立運転用電力線に接続され自立運転時に前記遠隔制御装置側自立運転用電力線が接続される中継コンセントを備え、
前記遠隔制御装置は、前記遠隔制御装置側自立運転用電力線に接続され連系運転時に前記交流電力系統が有する交流電力コンセントへ接続される交流電力プラグと、前記遠隔制御装置側自立運転用電力線と前記自立運転出力用コンセントとの間に配置され自立運転時に自立運転用負荷に対して交流電力を供給する自立運転用リレーとを備え、
前記交流電力プラグは、自立運転時に前記中継コンセントへ接続される構成としてあること
を特徴とする電力連系切り替えシステム。
【請求項２】
請求項１に記載の電力連系切り替えシステムであって、
前記インバータは、前記自立運転用電力線と前記直流交流変換部との間に配置され自立運転時に自立運転用負荷に対して交流電力の供給を行なう自立運転用リレーを備え、
前記インバータおよび前記遠隔制御装置は、前記インバータと前記遠隔制御装置とを接続する通信線を介して連系運転と自立運転との切り替えに関する情報の通信を行なう構成としてあること
を特徴とする電力連系切り替えシステム。
【請求項３】
請求項１または請求項２に記載の電力切り替えシステムであって、
前記インバータは、前記遠隔制御装置に接続された遠隔制御装置用電源線を介して前記遠隔制御装置に対する電源電力を供給する遠隔制御装置用電源回路を備えること
を特徴とする電力連系切り替えシステム。
【請求項４】
請求項１ないし請求項３のいずれか一つに記載の電力連系切り替えシステムであって、
前記インバータは、前記連系運転用リレーと前記交流電力系統との間で前記交流電力線に接続され連系運転と自立運転との切り替えに関する情報の通信を前記遠隔制御装置との間で行なう第３電力線通信用モデムを備えること
を特徴とする電力連系切り替えシステム。
【請求項５】
請求項１ないし請求項４のいずれか一つに記載の電力連系切り替えシステムであって、
前記インバータは、前記直流交流変換部と前記第１電力線通信用モデムとの間に配置され自立運転時に自立運転用負荷に対して交流電力の供給を行なう自立運転用補助リレーを備えること
を特徴とする電力連系切り替えシステム。
【請求項６】
直流発電装置で発電された直流電力を交流電力に変換する直流交流変換部を有し前記直流発電装置と交流電力系統とを連系運転させるインバータと、該インバータを遠隔制御して連系運転と自立運転とを切り替える遠隔制御装置とを備え、前記インバータは、前記交流電力系統に接続された交流電力線と前記直流交流変換部との間に配置され連系運転時に前記交流電力系統への交流電力の供給を行なう連系運転用リレーを備え、前記遠隔制御装置は、自立運転時に自立運転用負荷に対して交流電力を供給する自立運転出力用コンセントと、該自立運転出力用コンセントと前記直流交流変換部とを接続する自立運転用電力線と、自立運転への切り替え操作を受け付ける運転切り替え操作部とを備え、前記インバータは、前記自立運転用電力線に接続され連系運転と自立運転との切り替えに関する情報の通信を前記遠隔制御装置との間で行なう第１電力線通信用モデムを備え、前記遠隔制御装置は、前記自立運転用電力線に接続され連系運転と自立運転との切り替えに関する情報の通信を前記インバータとの間で行なう第２電力線通信用モデムを備え、前記自立運転用電力線は、前記インバータと前記遠隔制御装置との間でインバータ側自立運転用電力線と遠隔制御装置側自立運転用電力線とに区分してあり、前記インバータは、前記インバータ側自立運転用電力線に接続され自立運転時に前記遠隔制御装置側自立運転用電力線が接続される中継コンセントを備え、前記遠隔制御装置は、前記遠隔制御装置側自立運転用電力線に接続され連系運転時に前記交流電力系統が有する交流電力コンセントへ接続される交流電力プラグと、前記遠隔制御装置側自立運転用電力線と前記自立運転出力用コンセントとの間に配置され自立運転時に自立運転用負荷に対して交流電力を供給する自立運転用リレーとを備え、前記交流電力プラグは、自立運転時に前記中継コンセントへ接続される構成としてある電力連系切り替えシステムでの電力連系切り替え方法であって、
前記インバータが起動した後、前記インバータと前記遠隔制御装置との間で通信を行ない連系運転の可否を判定する過程と、
連系運転が可と判定された場合、連系運転の選択を受け付ける過程または自立運転の選択を受け付ける過程と、
連系運転の選択が受け付けられた場合、前記連系運転用リレーを閉動作させて連系運転を実行する過程と、
自立運転の選択が受け付けられた場合は、前記自立運転用電力線を介して前記自立運転出力用コンセントから前記自立運転用負荷に交流電力を供給する過程とを備えること
を特徴とする電力連系切り替えシステムでの電力連系切り替え方法。
【発明の詳細な説明】
【技術分野】
【０００１】
本発明は、直流発電装置からの直流電力を交流電力に変換して直流発電装置と交流電力系統とを連系運転させるインバータと、インバータを制御する遠隔制御装置とを備える電力連系切り替えシステム、およびこのような電力連系切り替えシステムでの電力連系切り替え方法に関する。
【背景技術】
【０００２】
地球環境を保護する対策として設置場所を分散して設定することができると共に自然現象を利用して発電することができる分散電源装置が採用されるようになっている。直流発電装置（例えば、太陽電池モジュール）を適用して直流発電を行ない、得られた直流電力をインバータによって交流電力に変換し交流電力系統（例えば電力会社により提供されている商用電力系統）との連系運転を行なう技術が提案されている（例えば、特許文献１参照）。
【０００３】
分散電源装置と交流電力系統とは、常に連系運転を実行できる訳ではなく、例えば交流電力系統が停電している場合など、交流電力系統の状況によっては、連系運転ではなく、交流電力系統から直流発電装置を切り離して運転する自立運転が必要な場合がある。連系運転と自立運転とを切り替えるシステムとして電力連系切り替えシステムが知られている。
【０００４】
従来の電力連系切り替えシステムでは、例えば、遠隔制御装置を用いてインバータを制御する構成としてある。また、自立運転時に自立運転用負荷を接続するために必要となる自立運転出力用コンセントは、遠隔制御装置とは分離して配置してあった。また、インバータと交流電力系統を連係して運転する連系運転と、インバータと自立運転用負荷とを接続して運転する自立運転との制御は、別々に独立して実行される構成としてあった。
【０００５】
つまり、従来の分散電源装置では遠隔制御装置と自立運転出力用コンセントが別々になっており、自立運転を行なうには自立運転用負荷を自立運転出力用コンセントに接続した後、別の場所にある遠隔制御装置で連系運転と自立運転の切り替えを行ない、自立運転を開始する必要があった。したがって、運転切り替えが煩雑となり、また、利便性に欠けるという問題があった。
【０００６】
また、電力連系切り替えシステムを設置する際に、自立運転出力用コンセントと遠隔制御装置の２つに対する配線を行なう必要があり、設置工事が煩雑となることから設置工数が増加し、また、配線が複数となることから信頼性の低下問題を生じる恐れがあった。
【特許文献１】特開２００２−３１５１９４号公報
【発明の開示】
【発明が解決しようとする課題】
【０００７】
本発明はこのような状況に鑑みてなされたものであり、直流発電装置で発電された直流電力を交流電力に変換する直流交流変換部を有する直流発電装置と交流電力系統とを連系運転させるインバータと、インバータを遠隔制御して連系運転と自立運転とを切り替える遠隔制御装置とを備える電力連系切り替えシステムであって、インバータに、交流電力系統に接続された交流電力線と直流交流変換部との間に配置され連系運転時に交流電力系統への交流電力の供給を行なう連系運転用リレーを設け、遠隔制御装置に、自立運転時に自立運転用負荷に対して交流電力を供給する自立運転出力用コンセントと、自立運転出力用コンセントと直流交流変換部とを接続する自立運転用電力線と、自立運転への切り替え操作を受け付ける運転切り替え操作部とを設けることにより、遠隔制御装置に対する対応のみで自立運転を開始することが可能となり、信頼性を向上させ、運転切り替えのときの利便性を向上させることができる電力連系切り替えシステムを提供することを目的とする。
【０００８】
また、本発明に係る電力連系切り替え方法は、本発明に係る電力連系切り替えシステムでの電力連系切り替え方法とすることにより、連系運転と自立運転との切り替えを容易かつ円滑に実行することが可能で、自立運転用負荷への交流電力の供給を容易かつ円滑に実行することができる電力連系切り替え方法を提供することを他の目的とする。
【課題を解決するための手段】
【０００９】
本発明に係る電力連系切り替えシステムは、直流発電装置で発電された直流電力を交流電力に変換する直流交流変換部を有し前記直流発電装置と交流電力系統とを連系運転させるインバータと、該インバータを遠隔制御して連系運転と自立運転とを切り替える遠隔制御装置とを備える電力連系切り替えシステムであって、前記インバータは、前記交流電力系統に接続された交流電力線と前記直流交流変換部との間に配置され連系運転時に前記交流電力系統への交流電力の供給を行なう連系運転用リレーを備え、前記遠隔制御装置は、自立運転時に自立運転用負荷に対して交流電力を供給する自立運転出力用コンセントと、該自立運転出力用コンセントと前記直流交流変換部とを接続する自立運転用電力線と、自立運転への切り替え操作を受け付ける運転切り替え操作部とを備え、前記インバータは、前記自立運転用電力線に接続され連系運転と自立運転との切り替えに関する情報の通信を前記遠隔制御装置との間で行なう第１電力線通信用モデムを備え、前記遠隔制御装置は、前記自立運転用電力線に接続され連系運転と自立運転との切り替えに関する情報の通信を前記インバータとの間で行なう第２電力線通信用モデムを備え、前記自立運転用電力線は、前記インバータと前記遠隔制御装置との間でインバータ側自立運転用電力線と遠隔制御装置側自立運転用電力線とに区分してあり、前記インバータは、前記インバータ側自立運転用電力線に接続され自立運転時に前記遠隔制御装置側自立運転用電力線が接続される中継コンセントを備え、前記遠隔制御装置は、前記遠隔制御装置側自立運転用電力線に接続され連系運転時に前記交流電力系統が有する交流電力コンセントへ接続される交流電力プラグと、前記遠隔制御装置側自立運転用電力線と前記自立運転出力用コンセントとの間に配置され自立運転時に自立運転用負荷に対して交流電力を供給する自立運転用リレーとを備え、前記交流電力プラグは、自立運転時に前記中継コンセントへ接続される構成としてあることを特徴とする。
【００１０】
この構成により、遠隔制御装置の配線位置と自立運転出力用コンセントの配線位置とを同じ場所にすることが可能となることから、自立運転を行なうときは、自立運転用負荷を遠隔制御装置（自立運転出力用コンセント）に接続し、併せて遠隔制御装置によって連系運転と自立運転の切り替えを行なうことによって自立運転を容易かつ迅速に実行できる。つまり、遠隔制御装置に対する対応のみで自立運転を開始することが可能となり、信頼性を向上させ、運転切り替えのときの利便性を向上させることが可能となる。また、設置工事では、インバータに対して遠隔制御装置を設置するだけでよく自立運転出力用コンセントに対する配線作業が不要となることから設置作業を簡略化、効率化することが可能となる。また、第１電力線通信用モデムおよび第２電力線通信用モデムが接続された自立運転用電力線を介して連系運転と自立運転との切り替えに関する情報の通信を行なうことが可能となることから、インバータと遠隔制御装置との間に通信線を設置する必要がなくなり、設置工事を簡略化することができる。また、連系運転時には遠隔制御装置を任意の交流電力コンセントに接続することが可能となり、遠隔制御装置の可搬性を向上させることができる。
【００１１】
また、本発明に係る電力連系切り替えシステムでは、前記インバータは、前記自立運転用電力線と前記直流交流変換部との間に配置され自立運転時に自立運転用負荷に対して交流電力の供給を行なう自立運転用リレーを備え、前記インバータおよび前記遠隔制御装置は、前記インバータと前記遠隔制御装置とを接続する通信線を介して連系運転と自立運転との切り替えに関する情報の通信を行なう構成としてあることを特徴とする。
【００１２】
この構成により、容易かつ安全に信頼性の高い自立運転を実行することが可能となる。
【００１３】
また、本発明に係る電力連系切り替えシステムでは、前記インバータは、前記遠隔制御装置に接続された遠隔制御装置用電源線を介して前記遠隔制御装置に対する電源電力を供給する遠隔制御装置用電源回路を備えることを特徴とする。
【００１４】
この構成により、遠隔制御装置の電源部を簡略化、小型化することが可能となり、設置性、可搬性の高い遠隔制御装置とすることが可能となる。
【００２１】
また、本発明に係る電力連系切り替えシステムでは、前記インバータは、前記連系運転用リレーと前記交流電力系統との間で前記交流電力線に接続され連系運転と自立運転との切り替えに関する情報の通信を前記遠隔制御装置との間で行なう第３電力線通信用モデムを備えることを特徴とする。
【００２２】
この構成により、第１電力線通信用モデムと第２電力線通信用モデムとの間の通信に加え、第２電力線通信用モデムと第３電力線通信用モデムとの間で連系運転と自立運転との切り替えに関する情報の通信を相互に行なうことが可能となり、汎用性、利便性を向上させることができる。
【００２３】
また、本発明に係る電力連系切り替えシステムでは、前記インバータは、前記直流交流変換部と前記第１電力線通信用モデムとの間に配置され自立運転時に自立運転用負荷に対して交流電力の供給を行なう自立運転用補助リレーを備えることを特徴とする。
【００２４】
この構成により、連系運転から自立運転への切り替えを確実かつ安全に実行することが可能となる。
【００２５】
また、本発明に係る電力連系切り替え方法は、直流発電装置で発電された直流電力を交流電力に変換する直流交流変換部を有し前記直流発電装置と交流電力系統とを連系運転させるインバータと、該インバータを遠隔制御して連系運転と自立運転とを切り替える遠隔制御装置とを備え、前記インバータは、前記交流電力系統に接続された交流電力線と前記直流交流変換部との間に配置され連系運転時に前記交流電力系統への交流電力の供給を行なう連系運転用リレーを備え、前記遠隔制御装置は、自立運転時に自立運転用負荷に対して交流電力を供給する自立運転出力用コンセントと、該自立運転出力用コンセントと前記直流交流変換部とを接続する自立運転用電力線と、自立運転への切り替え操作を受け付ける運転切り替え操作部とを備え、前記インバータは、前記自立運転用電力線に接続され連系運転と自立運転との切り替えに関する情報の通信を前記遠隔制御装置との間で行なう第１電力線通信用モデムを備え、前記遠隔制御装置は、前記自立運転用電力線に接続され連系運転と自立運転との切り替えに関する情報の通信を前記インバータとの間で行なう第２電力線通信用モデムを備え、前記自立運転用電力線は、前記インバータと前記遠隔制御装置との間でインバータ側自立運転用電力線と遠隔制御装置側自立運転用電力線とに区分してあり、前記インバータは、前記インバータ側自立運転用電力線に接続され自立運転時に前記遠隔制御装置側自立運転用電力線が接続される中継コンセントを備え、前記遠隔制御装置は、前記遠隔制御装置側自立運転用電力線に接続され連系運転時に前記交流電力系統が有する交流電力コンセントへ接続される交流電力プラグと、前記遠隔制御装置側自立運転用電力線と前記自立運転出力用コンセントとの間に配置され自立運転時に自立運転用負荷に対して交流電力を供給する自立運転用リレーとを備え、前記交流電力プラグは、自立運転時に前記中継コンセントへ接続される構成としてある電力連系切り替えシステムでの電力連系切り替え方法であって、前記インバータが起動した後、前記インバータと前記遠隔制御装置との間で通信を行ない連系運転の可否を判定する過程と、連系運転が可と判定された場合、連系運転の選択を受け付ける過程または自立運転の選択を受け付ける過程と、連系運転の選択が受け付けられた場合、前記連系運転用リレーを閉動作させて連系運転を実行する過程と、自立運転の選択が受け付けられた場合は、前記自立運転用電力線を介して前記自立運転出力用コンセントから前記自立運転用負荷に交流電力を供給する過程とを備えることを特徴とする。
【００２６】
この構成により、連系運転と自立運転との切り替えを容易かつ円滑に実行することが可能となることから、自立運転用負荷への交流電力の供給を容易かつ円滑に実行することができる。
【発明の効果】
【００２７】
本発明に係る電力連系切り替えシステムによれば、直流発電装置で発電された直流電力を交流電力に変換する直流交流変換部を有する直流発電装置と交流電力系統とを連系運転させるインバータと、インバータを遠隔制御して連系運転と自立運転とを切り替える遠隔制御装置とを備える電力連系切り替えシステムであって、インバータに、交流電力系統に接続された交流電力線と直流交流変換部との間に配置され連系運転時に交流電力系統への交流電力の供給を行なう連系運転用リレーを設け、遠隔制御装置に、自立運転時に自立運転用負荷に対して交流電力を供給する自立運転出力用コンセントと、自立運転出力用コンセントと直流交流変換部とを接続する自立運転用電力線と、自立運転への切り替え操作を受け付ける運転切り替え操作部とを設けることから、遠隔制御装置に対する対応のみで自立運転を開始することが可能となり、信頼性を向上させ、運転切り替えのときの利便性を向上させることができるという効果を奏する。
【００２８】
また、本発明に係る電力連系切り替え方法によれば、本発明に係る電力連系切り替えシステムでの電力連系切り替え方法とすることから、連系運転と自立運転との切り替えを容易かつ円滑に実行することが可能で、自立運転用負荷への交流電力の供給を容易かつ円滑に実行することができるという効果を奏する。
【発明を実施するための最良の形態】
【００２９】
以下、本発明の実施の形態を図面に基づいて説明する。
【００３０】
＜実施の形態１＞
図１Ａおよび図１Ｂに基づいて、本発明の実施の形態１に係る電力連系切り替えシステムおよび電力連系切り替えシステムでの電力連系切り替え方法について説明する。
【００３１】
図１Ａは、本発明の実施の形態１に係る電力連系切り替えシステムのブロック構成の概略を示すブロック構成図である。
【００３２】
本実施の形態に係る電力連系切り替えシステムは、直流発電装置としての太陽電池モジュール１で発電された直流電力を交流電力に変換する直流交流変換部１１を有し直流発電装置（太陽電池モジュール１）と交流電力系統２とを連系運転させるインバータ１０と、インバータ１０を遠隔制御して連系運転と自立運転とを切り替える遠隔制御装置２０とを備える。
【００３３】
つまり、直流発電装置として太陽電池モジュール１を適用することから、太陽光を有効に利用した地球環境に易しく効率的な電力連系切り替えシステム（電力連系システム）を実現することが可能となる。
【００３４】
インバータ１０は、交流電力系統２に接続された交流電力線２ｗと直流交流変換部１１との間に配置され連系運転時に交流電力系統２への交流電力の供給を行なう連系運転用リレー１３を備え、遠隔制御装置２０（リモートコントローラ）は、自立運転時に自立運転用負荷Ｌｓｄに対して交流電力を供給する自立運転出力用コンセント２１と、自立運転出力用コンセント２１と直流交流変換部１１とを接続する自立運転用電力線２１ｗと、自立運転への切り替え操作を受け付ける運転切り替え操作部２０ｓとを備える。
【００３５】
したがって、本実施の形態に係る電力連系切り替えシステムでは、遠隔制御装置２０の配線位置と自立運転出力用コンセント２１の配線位置とを同じ場所として配置することが可能となることから、自立運転を行なうときは、自立運転用負荷プラグＰｓｄを介して自立運転用負荷Ｌｓｄを遠隔制御装置２０（自立運転出力用コンセント２１）に接続し、併せて遠隔制御装置２０によって連系運転と自立運転の切り替え（運転切り替え操作部２０ｓを介しての切り替え操作）を行なうことによって自立運転を容易かつ迅速に実行できる。
【００３６】
つまり、遠隔制御装置２０に自立運転出力用コンセント２１を並設してあることから、遠隔制御装置２０に対する対応（遠隔制御装置２０への移動および操作。遠隔制御装置２０への自立運転用負荷プラグＰｓｄの接続作業）のみで自立運転を開始することが可能となり、信頼性を向上させ、運転切り替えのときの利便性を向上させることが可能となる（電力連系切り替えシステムを使用する使用者の負担を軽減することができる）。
【００３７】
また、設置工事では、インバータ１０に対して遠隔制御装置２０を設置するだけでよく自立運転出力用コンセント２１に対する配線作業が不要となることから設置作業を簡略化、効率化することが可能となる。
【００３８】
例えば、定格出力１００Ｗの太陽電池モジュール１は、１０直３並列（１０台の太陽電池モジュール１を直列接続したものをさらに３列の並列接続としたもの）にして定格出力３ｋＷのインバータ１０に接続してある。また、インバータ１０は、太陽電池モジュール１からの直流電力を直流交流変換部１１でＡＣ２００Ｖの交流電力に変換し、電力系統２へ送電することが可能である。
【００３９】
インバータ１０は、自立運転用電力線２１ｗと直流交流変換部１１との間に配置され自立運転時に自立運転用負荷Ｌｓｄに対して交流電力の供給を行なう自立運転用リレー１２を備え、インバータ１０および遠隔制御装置２０は、インバータ１０と遠隔制御装置２０とを接続する通信線３１を介して連系運転と自立運転との切り替えに関する情報の通信を行なう構成としてある。したがって、容易かつ安全に信頼性の高い自立運転を実行することが可能となる。
【００４０】
インバータ１０は、遠隔制御装置２０に接続された遠隔制御装置用電源線１４ｗを介して遠隔制御装置２０に対する電源電力を供給する遠隔制御装置用電源回路１４を備える。したがって、遠隔制御装置２０の電源部を簡略化、小型化することが可能となり、設置性、可搬性の高い遠隔制御装置２０とすることが可能となる。
【００４１】
自立運転出力用コンセント２１に接続された自立運転用電力線２１ｗ、インバータ１０と遠隔制御装置２０との相互通信のために接続された通信線３１、およびインバータ１０から遠隔制御装置２０に対して電源電力を供給する遠隔制御装置用電源線１４ｗは、ケーブル３２としてまとめてある。したがって、インバータ１０と遠隔制御装置２０との間の配線を簡略化して、設置工事、メンテナンスを容易化、簡略化することが可能となる。
【００４２】
また、自立運転用電力線２１ｗに対しては、直流交流変換部１１から例えばＡＣ１００Ｖを供給するように構成してあり、自立運転出力用コンセント２１から自立運転用負荷Ｌｓｄに対してＡＣ１００Ｖを供給することが可能となる。
【００４３】
遠隔制御装置２０は、運転切り替え操作部２０ｓ、自立運転出力用コンセント２１、自立運転用電力線２１ｗの他に、適宜接続、配置された制御部２０ｃ、表示部２０ｄを備える。制御部２０ｃは、運転切り替え操作部２０ｓを介して入力される操作信号に対する必要な制御信号を形成し、通信線３１を介して自立運転用リレー１２、連系運転用リレー１３の動作を制御する。また、表示部２０ｄは、インバータ１０の発電状況、交流電力系統２の運転状況、遠隔制御装置２０の状況などを適宜表示する構成としてある。
【００４４】
なお、制御部２０ｃは、適宜の中央処理装置（ＣＰＵ：Ｃｅｎｔｏｒａｌ  Ｐｒｏｃｅｓｓｉｎｇ  Ｕｎｉｔ）を内蔵し、適宜インストールされたコンピュータプログラムに応じて必要な処理（電力連系切り替え方法の実施に必要となる処理）を実行する構成としてある。
【００４５】
図１Ｂは、本発明の実施の形態１に係る電力連系切り替えシステムでの電力連系切り替え方法の動作フロー例を示すフローチャートである。
【００４６】
次に示すステップＳ１０１ないしステップＳ１１２によって、本実施の形態に係る電力連系切り替えシステムでの電力連系切り替え方法を実行することとなる。
【００４７】
ステップＳ１０１：
日射が生じると、日射に応じて太陽電池モジュール１は発電を開始し、直流電力をインバータ１０（直流交流変換部１１）へ供給する。つまり、太陽電池モジュール１から直流電力を供給されたインバータ１０は、起動することとなる。
【００４８】
ステップＳ１０２：
インバータ１０の起動に伴って直流交流変換部１１に接続された遠隔制御装置用電源回路１４は、例えばＤＣ１５Ｖを発生する。遠隔制御装置用電源回路１４は、遠隔制御装置用電源線１４ｗを介して遠隔制御装置２０に接続してあることから、遠隔制御装置用電源回路１４から遠隔制御装置２０に対する電源電力が供給され、遠隔制御装置２０は動作状態となる。
【００４９】
遠隔制御装置２０は動作状態となることから、例えば、インバータ１０が起動したことを表示部２０ｄに表示させることとなる。
【００５０】
ステップＳ１０３：
インバータ１０、遠隔制御装置２０がいずれも動作状態となっていることから、インバータ１０と遠隔制御装置２０との間で電力連系切り替えシステムの連系対象である交流電力系統２の動作状態（交流電力線２ｗを介して例えば交流電力系統２が停電状態か否かなどを検知することが可能である。）などについて通信を行なう。
【００５１】
なお、通信プログラムは予めシーケンスを設定して制御部２０ｃからの指令信号に基づいて実行させることが可能である。
【００５２】
ステップＳ１０４：
インバータ１０と遠隔制御装置２０との間での通信結果に基づいて、連系運転が可能か否かを判定する。通常は、停電状態など特別な場合を除いて連系運転可能な状態となっている。問題が無い場合（連系運転が可能な場合。ステップＳ１０４：ＹＥＳ）は、ステップＳ１０５へ移行する。問題がある場合（連系運転が不可の場合。ステップＳ１０４：ＮＯ）は、ステップＳ１０６へ移行する。
【００５３】
ステップＳ１０５：
連系運転可能であるので、連系運転が選択されたか否かの判定を行なう。連系運転が選択された場合（ステップＳ１０５：ＹＥＳ）は、ステップＳ１０７へ移行する。連系運転が選択されなかった場合（ステップＳ１０５：ＮＯ）は、ステップＳ１１１へ移行する。
【００５４】
なお、連系運転の選択は、運転切り替え操作部２０ｓへの操作入力によって実行する構成とすることが可能である。あるいは、適宜のシーケンス条件をコンピュータプログラムに予めインストールしておくことによって自動的に実行させることも可能である。
【００５５】
ステップＳ１０６：
連系運転不可の状態であるので、連系運転用リレー１３は開状態を維持して交流電力線２ｗから切り離し、インバータ１０と交流電力系統２とは分離した状態としておく。また、表示部２０ｄによって、交流電力系統２が異常状態であることを表示する。なお、連系運転用リレー１３の制御、表示部２０ｄの制御は、予めインストールされたコンピュータプログラムに基づいて制御部２０ｃから適宜の指令信号を通信線３１を介して送信することによって行なうことが可能である。その後、ステップＳ１１１へ移行する。
【００５６】
ステップＳ１０７：
連系運転が選択されたことから、連系運転用リレー１３を閉動作（閉路動作）させ、交流電力線２ｗを介してインバータ１０（直流交流変換部１１）と交流電力系統２を接続する。つまり、連系運転を開始する。連系運転用リレー１３の閉動作は、運転切り替え操作部２０ｓへの操作入力を受けて適宜の指令信号を遠隔制御装置２０（制御部２０ｃ）から連系運転用リレー１３へ通信線３１を介して送信することによって実行される。一般的には、太陽電池モジュール１の起動に伴って連系運転に移行させる状態としてある。
【００５７】
ステップＳ１０８：
連系運転がなされた状態であるので、交流電力系統２での異常の有無を適宜検出する構成としてある。検出は常時実行する形態、あるいは適宜の間隔でサンプリングする形態のいずれとすることも可能である。
【００５８】
交流電力系統２に異常が発生した場合（ステップＳ１０８：ＹＥＳ）は、ステップＳ１０９へ移行する。交流電力系統２に異常が発生しない場合（ステップＳ１０８：ＮＯ）は、ステップＳ１１０へ移行する。
【００５９】
ステップＳ１０９：
交流電力系統２に異常があることから、連系運転用リレー１３を開動作（開路動作）させ、交流電力系統２（交流電力線２ｗ）からインバータ１０（直流交流変換部１１）を切り離す。つまり、連系運転を停止する。併せて、表示部２０ｄによって、交流電力系統２が異常状態であることを表示する。
【００６０】
連系運転の停止に併せて、ステップＳ１１１へ移行する。
【００６１】
ステップＳ１１０：
太陽電池モジュール１と交流電力系統２とは連系運転状態であるので、必要に応じてステップＳ１１１へ移行する。
【００６２】
ステップＳ１１１：
通常は自立運転可能な状態であるので、自立運転が選択されるか否かの判定を行なう。自立運転が選択された場合（ステップＳ１１１：ＹＥＳ）は、ステップＳ１１２へ移行する。自立運転が選択されなかった場合（ステップＳ１１１：ＮＯ）は、電力連系切り替えシステムでの電力連系切り替え方法の動作フローを一旦終了する。
【００６３】
なお、自立運転の選択は、運転切り替え操作部２０ｓへの操作入力によって実行する構成とすることが可能である。あるいは、適宜のシーケンス条件をコンピュータプログラムに予めインストールしておくことによって自動的に実行させることも可能である。
【００６４】
ステップＳ１１２：
自立運転が選択されたことから、自立運転用リレー１２を閉動作（閉路動作）させ、自立運転用電力線２１ｗを介してインバータ１０（直流交流変換部１１）と遠隔制御装置２０（自立運転出力用コンセント２１）を接続する。つまり、自立運転を開始する。
【００６５】
なお、自立運転用リレー１２の閉動作は、運転切り替え操作部２０ｓへの操作入力を受けて適宜の指令信号を遠隔制御装置２０（制御部２０ｃ）から連系運転用リレー１３へ通信線３１を介して送信することによって実行される。
【００６６】
自立運転の状態であるから、自立運転用電力線２１ｗを介して直流交流変換部１１から自立運転出力用コンセント２１へ交流電力を供給することとなる。つまり、自立運転用負荷プラグＰｓｄを自立運転出力用コンセント２１へ接続することによって自立運転用負荷Ｌｓｄへ交流電力（ＡＣ１００Ｖ）を供給することが可能となる。
【００６７】
上述したステップＳ１０１ないしステップＳ１１２に示したとおり、本実施の形態に係る電力連系切り替えシステムでの電力連系切り替え方法は、直流発電装置（太陽電池モジュール１）で発電された直流電力を交流電力に変換する直流交流変換部１１を有し直流発電装置と交流電力系統２とを連系運転させるインバータ１０と、インバータ１０を遠隔制御して連系運転と自立運転とを切り替える遠隔制御装置２０とを備え、インバータ１０は、交流電力系統２に接続された交流電力線２ｗと直流交流変換部１１との間に配置され連系運転時に交流電力系統２への交流電力の供給を行なう連系運転用リレー１３を備え、遠隔制御装置２０は、自立運転時に自立運転用負荷Ｌｓｄに対して交流電力を供給する自立運転出力用コンセント２１と、自立運転出力用コンセント２１と直流交流変換部１１とを接続する自立運転用電力線２１ｗと、自立運転への切り替え操作を受け付ける運転切り替え操作部２０ｓとを備える電力連系切り替えシステムでの電力連系切り替え方法である。
【００６８】
また、本実施の形態に係る電力連系切り替え方法は、インバータ１０が起動した後、インバータ１０と遠隔制御装置２０との間で通信を行ない連系運転の可否を判定する過程（ステップＳ１０４参照）と、連系運転が可と判定された場合（ステップＳ１０４：ＹＥＳ参照）に、連系運転の選択を受け付ける過程（ステップＳ１０５：ＹＥＳ参照）または自立運転の選択を受け付ける過程（ステップＳ１１１：ＹＥＳ参照）と、連系運転の選択が受け付けられた場合（ステップＳ１０５：ＹＥＳ参照）、連系運転用リレー１３を閉動作させて連系運転を実行する過程（ステップＳ１０７参照）と、自立運転の選択が受け付けられた場合（ステップＳ１１１：ＹＥＳ参照）は、自立運転用電力線２１ｗを介して自立運転出力用コンセント２１から自立運転用負荷Ｌｓｄに交流電力を供給する過程（ステップＳ１１２参照）とを備える。
【００６９】
したがって、本実施の形態に係る電力連系切り替えシステムでの電力連系切り替え方法によれば、連系運転と自立運転との切り替えを容易かつ円滑に実行することが可能となることから、自立運転用負荷Ｌｓｄへの交流電力の供給を容易かつ円滑に実行することができる。
【００７０】
＜実施の形態２＞
図２Ａおよび図２Ｂに基づいて、本発明の実施の形態２に係る電力連系切り替えシステムおよび電力連系切り替えシステムでの電力連系切り替え方法について説明する。
【００７１】
図２Ａは、本発明の実施の形態２に係る電力連系切り替えシステムのブロック構成の概略を示すブロック構成図である。
【００７２】
基本的な構成は実施の形態１と同様であるので、主に異なる事項に対して説明を行なう。
【００７３】
本実施の形態に係る電力連系切り替えシステムでは、インバータ１０は、自立運転用電力線２１ｗに接続され連系運転と自立運転との切り替えに関する情報の通信を遠隔制御装置２０との間で行なう第１電力線通信用モデム１５を備え、遠隔制御装置２０は、自立運転用電力線２１ｗに接続され連系運転と自立運転との切り替えに関する情報の通信をインバータ１０との間で行なう第２電力線通信用モデム２２を備える。
【００７４】
したがって、第１電力線通信用モデム１５および第２電力線通信用モデム２２が接続された自立運転用電力線２１ｗを介して連系運転と自立運転との切り替えに関する情報の通信（電力線通信）を行なうことが可能となることから、インバータ１０と遠隔制御装置２０との間に通信線を設置する必要がなくなり、設置工事を簡略化することができる。
【００７５】
また、遠隔制御装置２０は、自立運転用電力線２１ｗと自立運転出力用コンセント２１との間に配置され自立運転時に自立運転用負荷に対して交流電力の供給を行なう自立運転用リレー２３を備える。
【００７６】
したがって、インバータ１０（直流交流変換部１１）と遠隔制御装置２０との間での自立運転用電力線２１ｗの配線を簡略化することが可能となる。
【００７７】
遠隔制御装置２０は、自立運転用電力線２１ｗに接続され遠隔制御装置２０の内部に対する電源電力を供給する内蔵電源回路２４を備える。したがって、遠隔制御装置２０自体で内部電力を手当てすることが可能となることから、直流交流変換部１１と遠隔制御装置２０との間の配線を簡略化することができる。
【００７８】
遠隔制御装置２０（自立運転用電力線２１ｗ）に対するインバータ１０（直流交流変換部１１）からの出力は、実施の形態１と同様ＡＣ１００Ｖとして供給される。また、インバータ１０と遠隔制御装置２０はＡＣ１００Ｖの自立運転用電力線２１ｗのみで接続されている。つまり、自立運転用電力線２１ｗとして一般的に利用されているＡＣ１００Ｖの電源コードを適用することが可能であり、インバータ１０と遠隔制御装置２０との間での配線を簡略化することが可能となる。
【００７９】
インバータ１０に内蔵された第１電力線通信用モデム１５は、電力線通信用のモデムであり外部信号出力端子を自立運転用電力線２１ｗに接続してある。また、遠隔制御装置２０に内蔵された第２電力線通信用モデム２２は、電力線通信用のモデムであり外部信号出力端子を自立運転用電力線２１ｗに接続してある。
【００８０】
したがって、インバータ１０と遠隔制御装置２０は、自立運転用電力線２１ｗを介して第１電力線通信用モデム１５および第２電力線通信用モデム２２の間で通信することが可能である。つまり、第２電力線通信用モデム２２および第１電力線通信用モデム１５を介して遠隔制御装置２０（制御部２０ｃ）からの指令信号をインバータ１０へ送信することによってインバータ１０を制御することが可能である。
【００８１】
内蔵電源回路２４は、インバータ１０から供給されたＡＣ１００Ｖを遠隔制御装置２０の内部に供給する電源電力に変換し、例えばＤＣ１５Ｖを発生する。内蔵電源回路２４から供給された電源電力に基づいて、制御部２０ｃ、表示部２０ｄ、運転切り替え操作部２０ｓなどを適宜動作させ、自立運転用リレー２３を制御することが可能な構成としてある。
【００８２】
本実施の形態では、連系運転時には、連系運転用リレー１３を閉路状態、自立運転出力用コンセント２１を開路状態とする。また、自立運転時には、連系運転用リレー１３を開路状態、自立運転出力用コンセント２１を閉路状態とする。つまり、連系運転用リレー１３および自立運転用リレー２３を制御することによって、連系運転と自立運転の切換を行なう。
【００８３】
なお、連系運転用リレー１３に対する制御部２０ｃからの指令信号は、第２電力線通信用モデム２２および第１電力線通信用モデム１５を介して送信され、自立運転用リレー２３に対する制御部２０ｃからの指令信号は、遠隔制御装置２０の内部で伝送される。
【００８４】
図２Ｂは、本発明の実施の形態２に係る電力連系切り替えシステムでの電力連系切り替え方法の動作フロー例を示すフローチャートである。
【００８５】
次に示すステップＳ２０１ないしステップＳ２１２によって、本実施の形態に係る電力連系切り替えシステムでの電力連系切り替え方法を実行することとなる。なお、基本的な動作フローは実施の形態１の場合と同様であるので、主に異なる事項に対して説明を行なう。
【００８６】
ステップＳ２０１：
ステップＳ１０１と同様であるので説明は省略する。
【００８７】
ステップＳ２０２：
インバータ１０の起動に伴って直流交流変換部１１から内蔵電源回路２４へＡＣ１００Ｖで電源電力が供給される。内蔵電源回路２４は、ＤＣ１５Ｖを発生する。内蔵電源回路２４からの電源電力の供給に伴い、遠隔制御装置２０（制御部２０ｃ、表示部２０ｄ、運転切り替え操作部２０ｓなど）は動作状態となる。
【００８８】
遠隔制御装置２０は動作状態となることから、例えば、インバータ１０が起動したことを表示部２０ｄに表示させることとなる。
【００８９】
ステップＳ２０３：
インバータ１０、遠隔制御装置２０がいずれも動作状態となっていることから、第１電力線通信用モデム１５、第２電力線通信用モデム２２も動作状態となる。したがって、インバータ１０（第１電力線通信用モデム１５）と遠隔制御装置２０（第２電力線通信用モデム２２）との間で電力連系切り替えシステムの連系対象である交流電力系統２の動作状態（交流電力線２ｗを介して例えば交流電力系統２が停電状態か否かなどを検知することが可能である。）などについて通信を行なう。
【００９０】
ステップＳ２０４：
インバータ１０（第１電力線通信用モデム１５）と遠隔制御装置２０（第２電力線通信用モデム２２）との間での通信結果に基づいて、連系運転が可能か否かを判定する。通常は、停電状態など特別な場合を除いて連系運転可能な状態となっている。問題が無い場合（連系運転が可能な場合。ステップＳ２０４：ＹＥＳ）は、ステップＳ２０５へ移行する。問題がある場合（連系運転が不可の場合。ステップＳ２０４：ＮＯ）は、ステップＳ２０６へ移行する。
【００９１】
ステップＳ２０５：
ステップＳ１０５と同様であるので説明は省略する。
【００９２】
ステップＳ２０６：
連系運転不可の状態であるので、連系運転用リレー１３は開状態を維持して交流電力線２ｗから切り離し、インバータ１０と交流電力系統２とは分離した状態としておく。また、表示部２０ｄによって、交流電力系統２が異常状態であることを表示する。なお、連系運転用リレー１３の制御、表示部２０ｄの制御は、予めインストールされたコンピュータプログラムに基づいて制御部２０ｃから適宜の指令信号を第１電力線通信用モデム１５および第２電力線通信用モデム２２を介して送信することによって行なうことが可能である。その後、ステップＳ２１１へ移行する。
【００９３】
ステップＳ２０７：
連系運転が選択されたことから、連系運転用リレー１３を閉動作（閉路動作）させ、交流電力線２ｗを介してインバータ１０（直流交流変換部１１）と交流電力系統２を接続する。つまり、連系運転を開始する。連系運転用リレー１３の閉動作は、運転切り替え操作部２０ｓへの操作入力を受けて適宜の指令信号を遠隔制御装置２０（制御部２０ｃ）から連系運転用リレー１３へ第１電力線通信用モデム１５および第２電力線通信用モデム２２を介して送信することによって実行される。一般的には、太陽電池モジュール１の起動に伴って連系運転に移行させる状態としてある。
【００９４】
ステップＳ２０８：
ステップＳ１０８と同様であるので説明は省略する。
【００９５】
ステップＳ２０９：
ステップＳ１０９と同様であるので説明は省略する。なお、連系運転用リレー１３の開動作は、上述したとおり、遠隔制御装置２０からの指令信号を第１電力線通信用モデム１５および第２電力線通信用モデム２２を介して送信することによって行なわれる。
【００９６】
ステップＳ２１０：
ステップＳ１１０と同様であるので説明は省略する。
【００９７】
ステップＳ２１１：
通常は自立運転可能な状態であるので、自立運転が選択されるか否かの判定を行なう。自立運転が選択された場合（ステップＳ２１１：ＹＥＳ）は、ステップＳ２１２へ移行する。自立運転が選択されなかった場合（ステップＳ２１１：ＮＯ）は、電力連系切り替えシステムでの電力連系切り替え方法の動作フローを一旦終了する。
【００９８】
ステップＳ２１２：
自立運転が選択されたことから、自立運転用リレー２３を閉動作（閉路動作）させ、自立運転用電力線２１ｗを介してインバータ１０（直流交流変換部１１）と遠隔制御装置２０（自立運転出力用コンセント２１）を接続する。つまり、自立運転を開始する。
【００９９】
なお、自立運転用リレー２３の閉動作は、運転切り替え操作部２０ｓへの操作入力を受けて適宜の指令信号を遠隔制御装置２０（制御部２０ｃ）から自立運転用リレー２３へ遠隔制御装置２０の内部で伝送することによって実行される。
【０１００】
自立運転の状態であるから、自立運転用電力線２１ｗを介して直流交流変換部１１から自立運転出力用コンセント２１へ交流電力を供給することとなる。つまり、自立運転用負荷プラグＰｓｄを自立運転出力用コンセント２１へ接続することによって自立運転用負荷Ｌｓｄへ交流電力（ＡＣ１００Ｖ）を供給することが可能となる。
【０１０１】
上述したステップＳ２０１ないしステップＳ２１２に示したとおり、本実施の形態に係る電力連系切り替えシステムでの電力連系切り替え方法は、直流発電装置（太陽電池モジュール１）で発電された直流電力を交流電力に変換する直流交流変換部１１を有し直流発電装置と交流電力系統２とを連系運転させるインバータ１０と、インバータ１０を遠隔制御して連系運転と自立運転とを切り替える遠隔制御装置２０とを備え、インバータ１０は、交流電力系統２に接続された交流電力線と直流交流変換部１１との間に配置され連系運転時に交流電力系統２への交流電力の供給を行なう連系運転用リレー１３を備え、遠隔制御装置２０は、自立運転時に自立運転用負荷Ｌｓｄに対して交流電力を供給する自立運転出力用コンセント２１と、自立運転出力用コンセント２１と直流交流変換部１１とを接続する自立運転用電力線２１ｗと、自立運転への切り替え操作を受け付ける運転切り替え操作部２０ｓとを備える電力連系切り替えシステムでの電力連系切り替え方法である。
【０１０２】
また、本実施の形態に係る電力連系切り替え方法は、インバータ１０が起動した後、インバータ１０と遠隔制御装置２０との間で通信を行ない連系運転の可否を判定する過程（ステップＳ２０４参照）と、連系運転が可と判定された場合（ステップＳ２０４：ＹＥＳ参照）に、連系運転の選択を受け付ける過程（ステップＳ２０５：ＹＥＳ参照）または自立運転の選択を受け付ける過程（ステップＳ２１１：ＹＥＳ参照）と、連系運転の選択が受け付けられた場合（ステップＳ２０５：ＹＥＳ参照）に、連系運転用リレー１３を閉動作させて連系運転を実行する過程（ステップＳ２０７参照）と、自立運転の選択が受け付けられた場合（ステップＳ２１１：ＹＥＳ参照）は、自立運転用電力線２１ｗを介して自立運転出力用コンセント２１から自立運転用負荷Ｌｓｄに交流電力を供給する過程（ステップＳ２１２参照）とを備える。
【０１０３】
したがって、本実施の形態に係る電力連系切り替えシステムでの電力連系切り替え方法によれば、連系運転と自立運転との切り替えを容易かつ円滑に実行することが可能となることから、自立運転用負荷Ｌｓｄへの交流電力の供給を容易かつ円滑に実行することができる。
【０１０４】
＜実施の形態３＞
図３Ａないし図３Ｃに基づいて、本発明の実施の形態３に係る電力連系切り替えシステムおよび電力連系切り替えシステムでの電力連系切り替え方法について説明する。
【０１０５】
図３Ａは、本発明の実施の形態３に係る電力連系切り替えシステムのブロック構成の概略を示すブロック構成図である。
【０１０６】
基本的な構成は実施の形態１、実施の形態２と同様であるので、主に異なる事項に対して説明を行なう。
【０１０７】
本実施の形態に係る電力連系切り替えシステムでは、自立運転用電力線２１ｗは、インバータ１０と遠隔制御装置２０との間でインバータ側自立運転用電力線２１ｗｉと遠隔制御装置側自立運転用電力線２１ｗｒとに区分してある。
【０１０８】
また、インバータ１０は、インバータ側自立運転用電力線２１ｗｉに接続され自立運転時に遠隔制御装置側自立運転用電力線２１ｗｒが接続される中継コンセント１８を備える。したがって、インバータ側自立運転用電力線２１ｗｉは、直流交流変換部１１と中継コンセント１８との間に位置することとなる。
【０１０９】
遠隔制御装置２０は、遠隔制御装置側自立運転用電力線２１ｗｒに接続され連系運転時に交流電力系統２が有する交流電力コンセント２ｃへ接続される交流電力プラグ２１ｐと、遠隔制御装置側自立運転用電力線２１ｗｒと自立運転出力用コンセント２１との間に配置され自立運転時に自立運転用負荷Ｌｓｄに対して交流電力を供給する自立運転用リレー２３とを備え、交流電力プラグ２１ｐは、自立運転時に中継コンセント１８へ接続される構成としてある。
【０１１０】
したがって、連系運転時には遠隔制御装置２０を任意の交流電力コンセント２ｃに接続することが可能となり、遠隔制御装置２０の可搬性を向上させることができる。
【０１１１】
インバータ１０は、連系運転用リレー１３と交流電力系統２との間で交流電力線２ｗに接続され連系運転と自立運転との切り替えに関する情報の通信を遠隔制御装置２０との間で行なう第３電力線通信用モデム１７を備える。
【０１１２】
したがって、第１電力線通信用モデム１５と第２電力線通信用モデム２２との間の通信に加え、第２電力線通信用モデム２２と第３電力線通信用モデム１７との間で連系運転と自立運転との切り替えに関する情報の通信を相互に行なうことが可能となり、汎用性、利便性を向上させることができる。なお、第１電力線通信用モデム１５は、自立運転用モデムとして機能し、第３電力線通信用モデム１７は、連系運転用モデムとして機能することとなる。
【０１１３】
インバータ１０は、直流交流変換部１１と第１電力線通信用モデム１５との間に配置され自立運転時に自立運転用負荷Ｌｓｄ（遠隔制御装置側自立運転用電力線２１ｗｒ、自立運転出力用コンセント２１）に対して交流電力の供給を行なう自立運転用補助リレー１９を備える。したがって、連系運転から自立運転への切り替えを確実かつ安全に実行することが可能となる。
【０１１４】
遠隔制御装置２０は、内蔵電源回路２４と並列に接続され連系運転と自立運転とを切り替えるときに遠隔制御装置２０の電源電力を供給する内蔵電池２５を備える。したがって、容易かつ円滑に連系運転と自立運転とを切り替えることが可能となる。なお、内蔵電池２５は、充電式としておくことが望ましい。
【０１１５】
連系運転時には、遠隔制御装置２０は汎用の交流電力プラグ２１ｐで家屋配線（例えば屋内配線）された交流電力コンセント２ｃに接続して動作させる。したがって、インバータ１０と遠隔制御装置２０は、第３電力線通信用モデム１７（インバータ１０）と第２電力線通信用モデム２２（遠隔制御装置２０）を使用して、交流電力コンセント２ｃに接続された屋内配線を介して電力線通信を行なうこととなる。
【０１１６】
例えば、交流電力系統２が停電状態となった場合には、インバータ１０は遠隔制御装置２０からの指令信号に対応して連系運転用リレー１３を開動作させて開路状態とすることにより連系運転を自動停止する。このとき、遠隔制御装置２０は内蔵電池２５により動作状態を維持しているが、インバータ１０（直流交流変換部１１、中継コンセント１８）に接続されていないことから、そのままでは自立運転をすることができない。
【０１１７】
つまり、自立運転とする場合は、遠隔制御装置２０（交流電力プラグ２１ｐ）を交流電力コンセント２ｃから外し、交流電力プラグ２１ｐをインバータ１０の中継コンセント１８に接続し直すことにより遠隔制御装置２０をインバータ１０に接続する。
【０１１８】
第１電力線通信用モデム１５と第２電力線通信用モデム２２との間で連系運転と自立運転との切り替えに関する情報の通信（電力線通信）を行なうことによって、自立運転が可能であることをインバータ１０と遠隔制御装置２０で認識し、遠隔制御装置２０で自立運転開始の操作入力がなされると、遠隔制御装置２０の自立運転用リレー２３が閉動作（閉路動作）し、また、自立運転用補助リレー１９を併せて閉動作させる。
【０１１９】
したがって、インバータ１０、自立運転用補助リレー１９、自立運転用電力線２１ｗ、自立運転用リレー２３、自立運転出力用コンセント２１を介して自立運転用負荷Ｌｓｄへ交流電力を供給することが可能となる。
【０１２０】
図３Ｂおよび図３Ｃは、本発明の実施の形態３に係る電力連系切り替えシステムでの電力連系切り替え方法の動作フロー例を示すフローチャートである。
【０１２１】
次に示すステップＳ３０１ないしステップＳ３１７によって、本実施の形態に係る電力連系切り替えシステムでの電力連系切り替え方法を実行することとなる。なお、基本的な動作フローは実施の形態１、実施の形態２の場合と同様であるので、主に異なる事項に対して説明を行なう。
【０１２２】
ステップＳ３０１：
遠隔制御装置２０（交流電力プラグ２１ｐ）を交流電力系統２（交流電力コンセント２ｃ）に接続する。つまり、交流電力系統２から遠隔制御装置２０へ電源電力を供給することにより、遠隔制御装置２０を動作状態としておく。
【０１２３】
ステップＳ３０２：
ステップＳ２０１と同様であるので説明は省略する。
【０１２４】
ステップＳ３０３：
遠隔制御装置２０は動作状態である（ステップＳ３０１参照）ことから、例えば、インバータ１０が起動したことを表示部２０ｄに表示させる。
【０１２５】
ステップＳ３０４：
インバータ１０、遠隔制御装置２０がいずれも動作状態となっている。また、第３電力線通信用モデム１７は、交流電力線２ｗ、交流電力コンセント２ｃ、遠隔制御装置側自立運転用電力線２１ｗｒを介して遠隔制御装置２０（第２電力線通信用モデム２２）と通信可能な状態となっている。逆に、第２電力線通信用モデム２２は、遠隔制御装置側自立運転用電力線２１ｗｒ、交流電力プラグ２１ｐ、交流電力線２ｗを介してインバータ１０（第３電力線通信用モデム１７）と通信可能な状態となっている。
【０１２６】
したがって、インバータ１０（第３電力線通信用モデム１７）と遠隔制御装置２０（第２電力線通信用モデム２２）との間で電力連系切り替えシステムの連系対象である交流電力系統２の動作状態（交流電力線２ｗを介して例えば交流電力系統２が停電状態か否かなどを検知することが可能である。）などについて通信を行なう。なお、例えば交流電力系統２が停電状態の場合は、内蔵電池２５を電源として遠隔制御装置２０を動作させることが可能である。
【０１２７】
ステップＳ３０５：
インバータ１０（第３電力線通信用モデム１７）と遠隔制御装置２０（第２電力線通信用モデム２２）との間での通信結果に基づいて、連系運転が可能か否かを判定する。連系運転が可能な場合（ステップＳ３０５：ＹＥＳ）は、ステップＳ３０６へ移行する。連系運転が不可の場合（ステップＳ３０５：ＮＯ）は、ステップＳ３０７へ移行する。
【０１２８】
ステップＳ３０６：
ステップＳ２０５と同様であるので説明は省略する。
【０１２９】
ステップＳ３０７：
ステップＳ２０６と同様であるので説明は省略する。なお、その後、ステップＳ３１２へ移行する。
【０１３０】
ステップＳ３０８：
連系運転が選択されたことから、連系運転用リレー１３を閉動作（閉路動作）させ、交流電力線２ｗを介してインバータ１０（直流交流変換部１１）と交流電力系統２を接続する。つまり、連系運転を開始する。連系運転用リレー１３の閉動作は、運転切り替え操作部２０ｓへの操作入力を受けて適宜の指令信号を遠隔制御装置２０（制御部２０ｃ）から連系運転用リレー１３へ第２電力線通信用モデム２２および第３電力線通信用モデム１７を介して送信することによって実行される。一般的には、太陽電池モジュール１の起動に伴って連系運転に移行させる状態としてある。
【０１３１】
ステップＳ３０９：
ステップＳ２０８と同様であるので説明は省略する。なお、交流電力系統２に異常が発生した場合（ステップＳ３０９：ＹＥＳ）は、ステップＳ３１０へ移行する。交流電力系統２に異常が発生しない場合（ステップＳ３０９：ＮＯ）は、ステップＳ３１１へ移行する。
【０１３２】
ステップＳ３１０：
ステップＳ２０９と同様であるので説明は省略する。なお、連系運転用リレー１３の開動作は、上述したとおり、遠隔制御装置２０からの指令信号を第２電力線通信用モデム２２および第３電力線通信用モデム１７を介して送信することによって行なわれる。なお、連系運転用リレー１３の開動作処理後、ステップＳ３１２へ移行する。
【０１３３】
ステップＳ３１１：
ステップＳ２１０と同様であるので説明は省略する。
【０１３４】
ステップＳ３１２：
通常は自立運転可能な状態であるので、自立運転が選択されるか否かの判定を行なう。自立運転が選択された場合（ステップＳ３１２：ＹＥＳ）は、ステップＳ３１３へ移行する。自立運転が選択されなかった場合（ステップＳ３１２：ＮＯ）は、電力連系切り替えシステムでの電力連系切り替え方法の動作フローを一旦終了する。
【０１３５】
ステップＳ３１３：
遠隔制御装置２０を交流電力系統２から切断する。つまり、交流電力プラグ２１ｐを交流電力コンセント２ｃから外す。次に、ステップＳ３１４へ移行する。
【０１３６】
ステップＳ３１４：
遠隔制御装置２０をインバータ１０へ接続する。つまり、交流電力プラグ２１ｐを中継コンセント１８へ接続する。次に、ステップＳ３１５へ移行する。なお、この時点で、必要に応じて自立運転用補助リレー１９の閉動作（閉路動作）を予め実行しておく。自立運転用補助リレー１９の閉動作によって、直流交流変換部１１、自立運転用補助リレー１９、インバータ側自立運転用電力線２１ｗｉ、中継コンセント１８、交流電力プラグ２１ｐ、遠隔制御装置側自立運転用電力線２１ｗｒ、（自立運転用リレー２３）、自立運転出力用コンセント２１の経路が構成され、自立運転が可能となる。
【０１３７】
ステップＳ３１５：
遠隔制御装置２０はインバータ１０へ接続された状態であることから、インバータ１０（第１電力線通信用モデム１５）と遠隔制御装置２０（第２電力線通信用モデム２２）とは、自立運転用電力線２１ｗ（インバータ側自立運転用電力線２１ｗｉ、遠隔制御装置側自立運転用電力線２１ｗｒ）を介して連系運転と自立運転との切り替えに関する情報の通信（電力線通信）を行なう。つまり、自立運転の可否を判定するための状態を確認する。
【０１３８】
ステップＳ３１６：
自立運転の可否を確認（判定）する。自立運転が可能な場合（ステップＳ３１６：ＹＥＳ）は、ステップＳ３１７へ移行する。何らかの自由で自立運転が不可能な場合（ステップＳ３１６：ＮＯ）は、電力連系切り替えシステムでの電力連系切り替え方法の動作フローを一旦終了する。
【０１３９】
ステップＳ３１７：
自立運転が可能であることから、自立運転用リレー２３を閉動作（閉路動作）させ、直流交流変換部１１から自立運転出力用コンセント２１までの経路を形成する。つまり、自立運転を開始する。
【０１４０】
上述したステップＳ３０１ないしステップＳ３１７に示したとおり、本実施の形態に係る電力連系切り替えシステムでの電力連系切り替え方法は、直流発電装置（太陽電池モジュール１）で発電された直流電力を交流電力に変換する直流交流変換部１１を有し直流発電装置と交流電力系統２とを連系運転させるインバータ１０と、インバータ１０を遠隔制御して連系運転と自立運転とを切り替える遠隔制御装置２０とを備え、インバータ１０は、交流電力系統２に接続された交流電力線と直流交流変換部１１との間に配置され連系運転時に交流電力系統２への交流電力の供給を行なう連系運転用リレー１３を備え、遠隔制御装置２０は、自立運転時に自立運転用負荷Ｌｓｄに対して交流電力を供給する自立運転出力用コンセント２１と、自立運転出力用コンセント２１と直流交流変換部１１とを接続する自立運転用電力線２１ｗと、自立運転への切り替え操作を受け付ける運転切り替え操作部２０ｓとを備える電力連系切り替えシステムでの電力連系切り替え方法である。
【０１４１】
また、本実施の形態に係る電力連系切り替え方法は、インバータ１０が起動した後、インバータ１０と遠隔制御装置２０との間で通信を行ない連系運転の可否を判定する過程（ステップＳ３０５参照）と、連系運転が可と判定された場合（ステップＳ３０５：ＹＥＳ参照）に、連系運転の選択を受け付ける過程（ステップＳ３０６：ＹＥＳ参照）または自立運転の選択を受け付ける過程（ステップＳ３１２：ＹＥＳ参照）と、連系運転の選択が受け付けられた場合（ステップＳ３０６：ＹＥＳ参照）に、連系運転用リレー１３を閉動作させて連系運転を実行する過程（ステップＳ３０８参照）と、自立運転の選択が受け付けられた場合（ステップＳ３１２：ＹＥＳ参照）は、自立運転用電力線２１ｗを介して自立運転出力用コンセント２１から自立運転用負荷Ｌｓｄに交流電力を供給する過程（ステップＳ３１３ないしステップＳ３１７参照）とを備える。
【０１４２】
したがって、本実施の形態に係る電力連系切り替えシステムでの電力連系切り替え方法によれば、連系運転と自立運転との切り替えを容易かつ円滑に実行することが可能となることから、自立運転用負荷Ｌｓｄへの交流電力の供給を容易かつ円滑に実行することができる。
【０１４３】
＜実施の形態４＞
図４に基づいて、本発明の実施の形態４に係る電力連系切り替えシステムおよび電力連系切り替えシステムでの電力連系切り替え方法について説明する。
【０１４４】
図４は、本発明の実施の形態４に係る電力連系切り替えシステムのブロック構成の概略を示すブロック構成図である。
【０１４５】
基本的な構成は実施の形態１ないし実施の形態３と同様であるので、主に異なる事項に対して説明を行なう。
【０１４６】
本実施の形態では、実施の形態３で適用した中継コンセント１８を、交流電力コンセント２ｃ（中継コンセント１８）と異なる形状を有する変形中継コンセント１８ｄに変更してあり、遠隔制御装置側自立運転用電力線２１ｗｒは、交流電力プラグ２１ｐと遠隔制御装置２０との間に変形中継コンセント１８ｄに適合する変形中継プラグ２１ｐｃを備え、自立運転時に変形中継コンセント１８ｄと変形中継プラグ２１ｐｃとを接続する構成としてある。
【０１４７】
したがって、インバータ１０（中継コンセント１８に対応する変形中継コンセント１８ｄ）への誤接続を確実に防止することが可能となり、信頼性と安全性を向上させることが可能となる。
【０１４８】
つまり、本実施の形態は、遠隔制御装置側自立運転用電力線２１ｗｒを分割して、分割された一方（遠隔制御装置２０側）の遠隔制御装置側自立運転用電力線２１ｗｒの先端に変形形状を有する変形中継コンセント１８ｄに対応する変形中継プラグ２１ｐｃを設けたものである。すなわち、自立運転とするときは、変形中継プラグ２１ｐｃを交流電力プラグ２１ｐが接続された他方の遠隔制御装置側自立運転用電力線２１ｗｒから外し、外した変形中継プラグ２１ｐｃを変形中継コンセント１８ｄへ接続する。
【０１４９】
本実施の形態に係る電力連系切り替えシステムは、上述したとおり、遠隔制御装置側自立運転用電力線２１ｗｒを分割して構成する点が実施の形態３と異なる。その他の事項は実施の形態３と同様であるので説明は省略する。
【０１５０】
また、本実施の形態に係る電力連系切り替えシステムでの電力連系切り替え方法では、実施の形態３でのステップＳ３１３、ステップＳ３１４で交流電力プラグ２１ｐを交流電力コンセント２ｃから外して中継コンセント１８へ接続するのに対して、交流電力プラグ２１ｐを交流電力コンセント２ｃから外した後、交流電力プラグ２１ｐと遠隔制御装置２０との中間の遠隔制御装置側自立運転用電力線２１ｗｒに設けられた変形中継プラグ２１ｐｃを変形中継コンセント１８ｄへ接続する点が異なる。その他の事項は実施の形態３と同様であるので説明は省略する。
【図面の簡単な説明】
【０１５１】
【図１Ａ】本発明の実施の形態１に係る電力連系切り替えシステムのブロック構成の概略を示すブロック構成図である。
【図１Ｂ】本発明の実施の形態１に係る電力連系切り替えシステムでの電力連系切り替え方法の動作フロー例を示すフローチャートである。
【図２Ａ】本発明の実施の形態２に係る電力連系切り替えシステムのブロック構成の概略を示すブロック構成図である。
【図２Ｂ】本発明の実施の形態２に係る電力連系切り替えシステムでの電力連系切り替え方法の動作フロー例を示すフローチャートである。
【図３Ａ】本発明の実施の形態３に係る電力連系切り替えシステムのブロック構成の概略を示すブロック構成図である。
【図３Ｂ】本発明の実施の形態３に係る電力連系切り替えシステムでの電力連系切り替え方法の動作フロー例を示すフローチャートである。
【図３Ｃ】本発明の実施の形態３に係る電力連系切り替えシステムでの電力連系切り替え方法の動作フロー例を示すフローチャートである。
【図４】本発明の実施の形態４に係る電力連系切り替えシステムのブロック構成の概略を示すブロック構成図である。
【符号の説明】
【０１５２】
１  太陽電池モジュール（直流発電装置）
２  交流電力系統
２ｗ  交流電力線
２ｃ  交流電力コンセント
１０  インバータ
１１  直流交流変換部
１２  自立運転用リレー
１３  連系運転用リレー
１４  遠隔制御装置用電源回路
１４ｗ  遠隔制御装置用電源線
１５  第１電力線通信用モデム
１７  第３電力線通信用モデム
１８  中継コンセント
１８ｄ  変形中継コンセント
１９  自立運転用補助リレー
２０  遠隔制御装置
２０ｃ  制御部
２０ｄ  表示部
２０ｓ  運転切り替え操作部
２１  自立運転出力用コンセント
２１ｐ  交流電力プラグ
２１ｐｃ  変形中継プラグ
２１ｗ  自立運転用電力線
２１ｗｉ  インバータ側自立運転用電力線
２１ｗｒ  遠隔制御装置側自立運転用電力線
２２  第２電力線通信用モデム
２３  自立運転用リレー
２４  内蔵電源回路
２５  内蔵電池
３１  通信線
３２  ケーブル
Ｌｓｄ  自立運転用負荷
Ｐｓｄ  自立運転用負荷プラグ
【図１Ａ】
0004900606.tif 000002
【図１Ｂ】
0004900606.tif 000003
【図２Ａ】
0004900606.tif 000004
【図２Ｂ】
0004900606.tif 000005
【図３Ａ】
0004900606.tif 000006
【図３Ｂ】
0004900606.tif 000007
【図３Ｃ】
0004900606.tif 000008
【図４】
0004900606.tif 000009